(57)【要約】【課題】筒状部に重なった外装部を形成することにより多くの情報を記載することができ、かつ確実に外装部を開くことができるシュリンクラベルを得る。【解決手段】シュリンクラベル１０は、熱収縮性シートの一端と中間部とを筒状に固着した筒状部１２を含む。筒状部１２に重なるようにして、外装部１４を形成する。熱収縮性シートの中間部に切れ目１６ａ，１６ｂを形成することにより、熱収縮性シートの一端と中間部との固着部近傍において、外装部１４に破断部を形成する。シュリンクラベル１０の露出面および外装部１４で隠された面に、シュリンクラベル１０を取り付ける物品についての情報を記載する。【選択図】      図１
2004251966.tif 000002
【特許請求の範囲】
【請求項１】
熱収縮性シートの一端と中間部とを固着して形成される筒状部、
前記熱収縮性シートの他端が前記筒状部の外面側に固着されることにより、前記筒状部の外側に配置されるようにして前記筒状部の少なくとも一部に重なるように形成される外装部、および
前記熱収縮性シートの一端と中間部との固着部の近傍において前記外装部に形成される破断部を含み、
前記破断部において外装部を破断することにより前記外装部を開放可能とした、シュリンクラベル。
【請求項２】
前記破断部は、前記熱収縮性シートに形成される切れ目によって構成される、請求項１に記載のシュリンクラベル。
【請求項３】
前記破断部は、前記熱収縮性シートに貼着される開封用テープによって構成される、請求項１に記載のシュリンクラベル。
【請求項４】
さらに、前記熱収縮性シートの他端側近傍において、別の破断部が形成されたことを特徴とする、請求項１ないし請求項３のいずれかに記載のシュリンクラベル。
【発明の詳細な説明】
【０００１】
【発明の属する技術分野】
この発明は、シュリンクラベルに関し、特に、たとえば物品の商品説明などが記載されたシュリンクラベルに関する。
【０００２】
【従来の技術】
たとえば、容器の周囲にシュリンクラベルを取り付け、商品名や商品に関する説明などを記載することが一般的に行われている。このとき、商品に関する情報が多い場合、容器の周囲のシュリンクラベルに情報を記載しきれないという問題がある。そこで、図８に示すように、シュリンクラベル１の筒状部２の一部に重なった外装部３を形成したものがある。このシュリンクラベル１においては、破断部で外装部３を破断することにより、外装部３を開くことができる。このようなシュリンクラベル１では、二重になった筒状部２および外装部３の両方に情報を記載することができるため、多くの情報を表示することができる。
【０００３】
このようなシュリンクラベル１を得るために、図９に示すように、矩形状の熱収縮性シート４の一端側Ａと中間部Ｂとが固着されて、筒状部３が形成される。さらに、熱収縮性シート４の他端側Ｃが筒状部３の外側に固着されることにより、外装部２が形成される。そして、熱収縮性シート４の他端側近傍に切れ目５ａ，５ｂを形成することにより、破断部が形成される（例えば、特許文献１参照）。
【０００４】
【特許文献１】
特開平１０−３１９８４８号公報
【０００５】
【発明が解決しようとする課題】
しかしながら、特許文献１に示すようなシュリンクラベルでは、破断部が熱収縮性シートの他端側近傍に形成されているため、熱収縮性シートの他端側を筒状部の外側に固着するときに、破断部もいっしょに筒状部に固着されてしまう可能性がある。破断部が筒状部に固着されると、外装部を開いてその下に記載された情報を見ることができない。
【０００６】
それゆえに、この発明の主たる目的は、筒状部に重なった外装部を形成することにより多くの情報を記載することができ、かつ確実に外装部を開くことができるシュリンクラベルを提供することである。
【０００７】
【課題を解決するための手段】
この発明は、熱収縮性シートの一端と中間部とを固着して形成される筒状部と、熱収縮性シートの他端が筒状部の外面側に固着されることにより、筒状部の外側に配置されるようにして筒状部の少なくとも一部に重なるように形成される外装部と、熱収縮性シートの一端と中間部との固着部の近傍において外装部に形成される破断部とを含み、破断部において外装部を破断することにより外装部を開放可能とした、シュリンクラベルである。
このようなシュリンクラベルにおいて、破断部は、熱収縮性シートに形成される切れ目によって構成することができる。
また、破断部は、熱収縮性シートに貼着される開封用テープによって構成してもよい。
さらに、熱収縮性シートの他端側近傍において、別の破断部を形成してもよい。
【０００８】
シュリンクラベルの筒状部の少なくとも一部が二重になるように外装部が形成されることにより、筒状部および外装部に情報を記載することができ、多くの情報を表示することができる。そして、シュリンクラベルを作製するための熱収縮性シートの中間部に破断部を形成すれば、熱収縮性シートの一端側を破断部から離れた位置に重ねて固着することができ、破断部と筒状部との固着を防止しながら固着部の近傍に破断部を配置することができる。
このようなシュリンクラベルにおいて、破断部を作製するために、熱収縮性シートに切れ目を形成してもよいし、熱収縮性シートに開封用テープを貼着してもよい。
さらに、熱収縮性シートの他端側に別の破断部を形成することにより、筒状部から外装部を取り外すことができる。
【０００９】
この発明の上述の目的，その他の目的，特徴および利点は、図面を参照して行う以下の発明の実施の形態の詳細な説明から一層明らかとなろう。
【００１０】
【発明の実施の形態】
図１は、この発明のシュリンクラベルの一例を示す斜視図である。シュリンクラベル１０は、筒状部１２を含む。筒状部１２の周方向の長さは、シュリンクラベル１０が取り付けられる物品の外周より長くなるように形成される。筒状部１２の周囲には、筒状部１２の周方向の一部を覆うようにして、外装部１４が形成される。外装部１４は、筒状部１２の軸方向において、筒状部１２と同じ幅に形成される。また、外装部１４は、筒状部１２の周方向において、筒状部１２の長さより短く形成される。これらの筒状部１２および外装部１４は、熱収縮性シートによって一体的に形成される。
【００１１】
筒状部１２の周方向において、外装部１４の両側が、筒状部１２の外周面に固着される。そして、外装部１４と筒状部１２の一端との固着部の一方の近傍において、外装部１４に破断部としての２本の切れ目１６ａ，１６ｂが形成される。切れ目１６ａ，１６ｂは、筒状部１２の軸方向に直線状に延びるようにして、略平行に形成される。これらの切れ目１６ａ，１６ｂは、シュリンクラベル１０を構成する熱収縮性シートの中間部に形成される。さらに、切れ目１６ａ，１６ｂの一端側において、外装部１４に破断部を破断しやすくするための切込部１８が形成される。
【００１２】
シュリンクラベル１０を形成するために、図２に示すように、矩形状の熱収縮性シート３０が準備される。熱収縮性シート３０としては、たとえばポリプロピレンフィルム、ポリエステルフィルム、ポリスチレンフィルム、ポリ塩化ビニルフィルム、ポリエチレンフィルム、エチレン−ビニルアルコール共重合体フィルムなどが用いられる。熱収縮性シート３０は、筒状にして固着されるが、このとき、熱収縮性シート３０の長手方向の一端側が、第１の固着部Ａとして用いられる。また、第１の固着部Ａから所定の間隔を隔てた熱収縮性シート３０の中間部が、第２の固着部Ｂとして用いられる。第１の固着部Ａと第２の固着部Ｂとの間隔は、シュリンクラベル１０が取り付けられる物品の外周より大きい間隔に設定される。さらに、熱収縮性シート３０の長手方向の他端側が、第３の固着部Ｃとして用いられる。
【００１３】
熱収縮性シート３０の第２の固着部Ｂに対して第３の固着部Ｃ側に、熱収縮性シート３０の幅方向に延びる２本の切れ目１６ａ，１６ｂが形成される。切れ目１６ａ，１６ｂの一端側において、熱収縮性シート３０に切込部１８が形成される。そして、図３に示すように、この熱収縮性シート３０の長手方向の一端側が中間部に重ねられ、第１の固着部Ａと第２の固着部Ｂとが固着される。このように、第１の固着部Ａと第２の固着部Ｂとが固着されることにより、筒状部１２が形成される。さらに、熱収縮性シート３０の長手方向の他端側が、筒状部１２の外面を覆うようにして重ねられ、第３の固着部Ｃが筒状部１２の外面に固着される。この筒状部１２を覆うように形成された部分が、外装部１４として用いられる。これらの固着は、接着剤などによって行ってもよいし、熱溶着などによって行ってもよい。
【００１４】
このシュリンクラベル１０の筒状部１２内に、図４に示すように、たとえばボトルなどの物品２０が配置される。そして、シュリンクラベル１０を加熱することにより、熱収縮性シート３０が収縮し、物品２０の外面にシュリンクラベル１０が密着して取り付けられる。
【００１５】
シュリンクラベル１０の外側表面には、物品２０に関する情報が印刷される。このとき、たとえば、筒状部１２の露出面および外装部１４の外側表面には、物品２０の商品名、製造会社名、原材料名、商品の機能・効果、安全性に関する情報などのような物品２０を販売するために必要な情報が記載される。また、外装部１４で隠された筒状部１２の表面には、物品２０の使用方法や使用量などのような、使用時に必要な情報が記載される。もちろん、このような情報の記載は一例であり、シュリンクラベル１０の露出部分および隠れた部分に他の情報が記載されてもよい。
【００１６】
このシュリンクラベル１０が取り付けられた物品２０の場合、シュリンクラベル１０の表面に記載された情報を参考にして物品２０が購入される。そして、物品２０を使用する際には、切れ目１６ａ，１６ｂ部分で切り離すことにより、図５に示すように、外装部１４を開くことができる。
【００１７】
このシュリンクラベル１０では、熱収縮性シート３０の中間部に破断部を構成する切れ目１６ａ，１６ｂが形成されているため、熱収縮性シート３０の第１の固着部Ａと第２の固着部Ｂとを固着する際に、第１の固着部Ａとなる熱収縮性シート３０の一端側と切れ目１６ａ，１６ｂ形成部との間隔を調整することができる。つまり、切れ目１６ａ，１６ｂと筒状部１２を形成するための固着部との間隔を調整することができる。したがって、切れ目１６ａ，１６ｂ形成部が不用意に固着されることを防止することができ、確実に切れ目１６ａ，１６ｂで外装部１４を破断することができる。
【００１８】
このようなシュリンクラベル１０において、図６に示すように、切れ目１６ａ，１６ｂに加えて、第３の固着部Ｃの近傍に別の切れ目２２が形成されてもよい。このような切れ目２２を形成すれば、切れ目１６ａ，１６ｂを切り離して外装部１４を開き、切れ目２２部分で外装部１４を切り離すことができる。
【００１９】
また、図７に示すように、切込部１８の間に、開封用テープ２４を貼着するとによって、破断部を形成してもよい。開封用テープ２４は、たとえばポリプロピレンなどの強靭な材料で形成される。このような開封用テープ２４を貼着することにより、２つの切込部１８の間の部分を持って引っ張れば、容易に外装部１４を破断することができる。
【００２０】
なお、上述の各例では、外装部１４は、筒状部１２の外側表面の一部を覆うように形成されているが、筒状部１２の全面を覆うように、略一周する長さに形成されてもよい。このように、外装部１４の長さを調整することにより、シュリンクラベル１０の露出面および外装部１４に隠された面に記載できる情報量を調整することができる。また、切れ目１６ａ，１６ｂ，２２は、筒状部１２の中心軸に対して斜めとなるように形成されてもよく、また全体として曲線状に形成されてもよい。さらに、外装部１４が開く向きとしては、物品２０に対して左側から右側に向かって開くようにしてもよいし、右側から左側に向かって開くようにしてもよい。
【００２１】
【発明の効果】この発明によれば、筒状部の外側に重なるようにして外装部を形成することにより、多くの情報をシュリンクラベルに記載することができる。しかも、熱収縮性シートの中間部に破断部を形成することにより、破断部が筒状部に固着されないようにして、シュリンクラベルを製造することができる。したがって、確実に破断部を破断して、外装部に隠された部分の情報を読むことができる。
さらに、外装部の端部に別の切れ目を形成することにより、外装部を切り離して、その下に記載された情報を見ることができる。
また、切れ目を形成したり、開封用テープを貼着することより、容易に切れ目外装部を破断して開封することができる。
さらに、外装部に隠れた部分に情報を記載することができるため、必要に応じて、常に見ることができる情報と外装部を開いたときにのみ見える情報とを区別して記載することができる。
【図面の簡単な説明】
【図１】この発明のシュリンクラベルの一例を示す斜視図である。
【図２】図１に示すシュリンクラベルを製造するための熱収縮性シートを示す平面図である。
【図３】図２に示す熱収縮性シートを固着してシュリンクラベルを製造する途中の工程を示す図解図である。
【図４】図１に示すシュリンクラベルを取り付けた物品を示す斜視図である。
【図５】図４に示すシュリンクラベル付き物品の外装部を開く状態を示す図解図である。
【図６】この発明のシュリンクラベルを製造するための熱収縮性シートの他の例を示す平面図である。
【図７】この発明のシュリンクラベルを製造するための熱収縮性シートのさらに他の例を示す平面図である。
【図８】従来のシュリンクラベルを取り付けた物品の一例を示す斜視図である。
【図９】図８に示す従来のシュリンクラベルを製造するための熱収縮性シートの一例を示す平面図である。
【符号の説明】
１０  シュリンクラベル
１２  筒状部
１４  外装部
１６ａ，１６ｂ  切れ目
１８  切込部
２０  物品
２２  切れ目
２４  開封用テープ
３０  熱収縮性シート
【図１】
2004251966.tif 000003
【図２】
2004251966.tif 000004
【図３】
2004251966.tif 000005
【図４】
2004251966.tif 000006
【図５】
2004251966.tif 000007
【図６】
2004251966.tif 000008
【図７】
2004251966.tif 000009
【図８】
2004251966.tif 000010
【図９】
2004251966.tif 000011